(57)【特許請求の範囲】
【請求項１】
テレビジョン画像の画質を評価するための方法において、ビデオ信号の品質のための基準を得るために、走査線で水平同期パルスの後に発生する雑音パルスが検出され、前記検出された雑音パルスのパルス幅が評価されビデオ信号の品質のための基準値として利用されることを特徴とする方法。
【請求項２】
走査線で検出された雑音パルス数がビデオ信号の品質のための基準値としてさらに利用されること、を特徴とする請求項１に記載の方法。
【請求項３】
検出された雑音パルスの振幅がビデオ信号の品質のための基準値としてさらに利用されること、を特徴とする請求項１または２に記載の方法。
【請求項４】
走査線、フィールドまたはフレームにおける雑音パルスの振幅が合計振幅もしくは合計基準値に加算されることを特徴とする請求項３に記載の方法。
【請求項５】
走査線、フィールドまたはフレームにおける雑音パルスのパルス幅が合計パルス幅もしくは合計基準値に加算されること、を特徴とする請求項１〜４のいずれか１項に記載の方法。
【請求項６】
雑音パルスの少なくとも１つのパラメータが、決定された基準値を得るために、係数で重みづけられることを特徴とする請求項１〜５のいずれか１項に記載の方法。
【請求項７】
１走査線内で検出された雑音パルスのポジションが、その各ポジションに１つの基準値が割合てられながら、ビデオ信号の品質のための判定基準として利用されることを特徴とする請求項１〜６のいずれか１項に記載の方法。
【請求項８】
個々の基準値が、ビデオ信号の品質のための基準を表す第１の合計基準値に加算されること、を特徴とする請求項１〜７のいずれか１項に記載の方法。
【請求項９】
画像中心の領域にある雑音パルスおよび／またはそのパラメータが残りの雑音パルスよりも強く重みづけられることを特徴とする請求項７に記載の方法。
【請求項１０】
画像の下部周辺領域にある雑音パルスおよび／またはそのパラメータが残りの雑音パルスよりも強く重みづけられることを特徴とする請求項７に記載の方法。
【請求項１１】
その振幅および／またはパルス幅が所定のしきい値を超えるような雑音パルスのみが検出されることを特徴とする請求項１〜１０のいずれか１項に記載の方法。
【請求項１２】
アナログのビデオ信号が雑音パルスの検出前にデジタル化されることを特徴とする請求項１〜１１のいずれか１項に記載の方法。
【請求項１３】
ＦＢＡＳ信号（ＦＢＡＳ）が同期パルス分離器（ＳＩＳ）の入力と、比較器（ＶＬ）の第１入力とに供給され、前記比較器の第２入力に基準量（ＲＧ）が与えられ、前記比較器の出力がカウンタ（Ｚ３）の解除入力と、加算器（ＳＵ）のクロック入力とに接続され、かつ同期パルス分離器（ＳＩＳ）の走査線同期出力がフェーズロックループ（ＰＬＬ）の入力に接続され、フェーズロックループ（ＰＬＬ）の出力または同期パルス分離器（ＳＩＳ）の画像同期出力がメモリ（ＳＰ）のクロック入力と加算器のリセット入力とに接続され、かつクロック発生器（ＣＬ）の出力が検出された雑音パルスのパルス幅を計数もしくは積分するためにカウンタ（Ｚ３）のクロック入力に接続され、前記カウンタの出力がプロセッサ（Ｐ）の入力に接続され、かつプロセッサ（Ｐ）の出力が加算器（ＳＵ）の入力に接続されるとともに前記加算器の出力がメモリ（ＳＰ）の入力に接続されることを特徴とする請求項１または５に記載の方法を実施するための回路構成。
【請求項１４】
パルス幅がデジタルカウンタ（Ｚ３）を用いて加算されるか、または積分器を用いて積分されることを特徴とする請求項１３に記載の回路構成。
【請求項１５】
ＦＢＡＳ信号（ＦＢＡＳ）が、同期パルス分離器（ＳＩＳ）の入力と、第１中間メモリ（Ｚ２）の入力と比較器（ＶＬ）の第１入力とに供給され、前記比較器の第２入力に基準量（ＲＧ）が与えられ、前記比較器の出力が第１カウンタ（Ｚ１）のクロック入力と第２カウンタ（Ｚ３）の解除入力と、第１および第２の中間メモリ（Ｚ２、Ｚ４）ならびに加算器（ＳＵ）のクロック入力とに接続され、かつクロック発生器（ＣＬ）が第２および第３カウンタ（Ｚ３、Ｚ５）のクロック入力に接続され、前記第３カウンタの出力が第２中間メモリ（Ｚ４）の入力に接続され、かつ同期パルス分離器（ＳＩＳ）の走査線同期出力がフェーズロックループ（ＰＬＬ）の入力に接続されるとともに前記フェーズロックループの出力が第１および第３カウンタ（Ｚ１、Ｚ５）のリセット入力に接続され、かつ同期パルス分離器（ＳＩＳ）の画像同期出力またはフェーズロックループ（ＰＬＬ）の出力が加算器（ＳＵ）のリセット入力とメモリ（ＳＰ）のクロック入力とに接続され、前記メモリ（ＳＰ）の入力が加算器（ＳＵ）の出力に接続され、前記加算器（ＳＵ）は前記第２中間メモリ（Ｚ４）の値と前記第１カウンタ（Ｚ１）や前記第２カウンタ（Ｚ３）や前記第２中間メモリ（Ｚ４）の値を加算することを特徴とする請求項１〜１２のいずれか１項に記載の方法を実施するための回路構成。
【請求項１６】
フェーズロックループ（ＰＬＬ）の出力が制御スイッチ（Ｕ）の第１入力に接続されるとともに同期パルス分離器（ＳＩＳ）の画像同期出力が制御スイッチ（Ｕ）の第２入力とに接続され、前記制御スイッチの出力がメモリ（ＳＰ）のクロック入力と、加算器（ＳＵ）のリセット入力とに接続されていることを特徴とする請求項１３〜１５のいずれか１項に記載の回路構成。
【請求項１７】
比較器（ＶＬ）と同期パルス分離器（ＳＩＳ）の前段にアナログ−デジタル変換器（ＡＤ）が設けられていることを特徴とする請求項１３〜１６のいずれか１項に記載の回路構成。
【請求項１８】
ＦＢＡＳ信号（ＦＢＡＳ）がテレビジョン受信部（ＴＶＥ）から供給されることを特徴とする請求項１３〜１７のいずれか１項に記載の回路構成。
【発明の詳細な説明】
本発明は、ビデオ信号および／またはテレビジョン画像の品質を決定するための方法ならびに前記方法を実施するための回路構成に関する。
移動しない受信局でのテレビジョン画像の受信および再生は、受信条件が良好で広範囲に安定しているので、ほとんど問題がない。これに対し移動受信局の受信条件は各地域の性状に応じて著しく変動する可能性がある。移動受信局が、たとえば山岳地域にいると、エコーが受信を著しく妨げることがある。高山や丘のデッドポイントは、無線接続を完全に遮断してしまうことがあり、テレビジョン画像の代りに雑音だけを画面で見ることになる。
この間に、たとえば乗用車や観光バス、さらにまた鉄道車両のような車両は、一方でニュースを、例えばビデオテキストで伝送された交通情報を、表示するために又は他方で旅行者をテレビジョン番組で楽しませることができるようにするため、テレビジョン受信部や画面が装備されている。走行中の地域事情によっては、移動受信局での受信条件が著しく変動するため、画質が大きく変動することがあるので、旅行中のテレビジョン視聴者の眼の負担が不快になるほど大きくなる。車両が、たとえばデッドスポットを通過するとき、視聴者は画面にノイズだけを見ることになる。このような障害が生じるテレビジョン番組の鑑賞は、その楽しみとして利用されるよりも、むしろ視聴者を疲れさせる。
移動受信局での無線信号の受信は、マルチチャネル受信、英語では“ダイバーシチ”と呼ぶ、により改善することが知られている。アンテナ−ダイバーシチのもとに、受信部が複数の、多くは空間的に離れたアンテナに接続できるのに対し、周波数ダイバーシチでは、異なる周波数で同一の信号または同一の番組を受信する複数の受信部から成るシステムを意味している。空間ダイバーシチのもとに、空間的に分離したアンテナで同一の信号を受信する複数の受信部から成るシステムが理解されている。
複数の受信部を具備するダイバーシチ受信装置で最良の受信状態をもつ受信部を選択できるようにするため、明確な判定基準が必要になる。
したがって本発明が解決しようとする課題は、ビデオ信号および／またはテレビジョン画像の品質を決定するための方法を提供することである。
本発明はこの課題を、ビデオ信号の品質基準を得るために、１本の走査線で水平同期パルスの後に発生する雑音パルスが検出され、この検出された雑音パルスのパルス幅が評価されビデオ信号の品質のための基準値として利用されることにより解決する。
さらに、１本の走査線に発生する雑音パルスのパルス幅が、たとえばカウンタまたは積分器を用いて、合計パルス幅に加算されると好都合である。このことを利用すると、各受信部の画質が決定されるダイバーシチ受信装置では、合計パルス幅が最も少ない受信部が最良のテレビジョン画像を提供することになる。受信するためにはこのような受信部を選択することが望ましい。
本発明は、１本の走査線において水平同期パルスの後に発生する雑音パルスを画質の基準として利用できるという第１の認識を前提にしている。さらに本発明は、各走査線あたりの雑音パルス数ならびに振幅、パルス幅および雑音パルスのポジションのような雑音パルスを特徴づけるその他のパラメータが１本の走査線内で重要な、画質を決定する物理量である、という第２の認識を前提にしている。
本発明の好適な実施形態の１つでは、１本の走査線で検出された雑音パルスが計数される。したがって雑音パルス数も１つの基準または換言すれば画質のための基準値になる。
たとえばダイバーシチ受信装置で複数の受信部が同一のプログラムのテレビジョン信号を受信するとき、個々の受信部で検出された各走査線あたりの雑音パルス数が画質の基準値を表す。従って、その都度各走査線につき雑音パルス数が最も少ない受信部を選択することができる。たとえば各受信部には１本の走査線内の雑音パルスを計数するカウンタを備えることができる。それにより瞬間的に最良の画像をもつ受信部としてその都度雑音パルス数が最も少ない受信部を選択することができる。
さらにまた、各走査線につき雑音パルス数が最も少ない受信部が、たとえば各走査線につきそれより雑音パルスが多い別の受信部よりも質が落ちる画像を提供する状況が発生することがある。これはパルス数のほかに、その振幅や幅が画質に影響を及ぼすためである。たとえば１台の受信部で振幅が小さい多数の雑音パルスが発生し、他方、その逆に各走査線につき雑音パルス数が最も少ない受信部でその雑音パルスが大きな振幅を有するとき、雑音パルス数の多い受信部が、各走査線につき雑音パルスは少ないが振幅は大きい受信部よりも良質の画像を提供することがある。
このため本発明の好適な実施形態の１つでは、１本の走査線内に発生する雑音パルスの振幅が合計振幅に加算され、この値も画質のための基準値となる値を示す。この雑音パルスの振幅は、たとえばカウンタまたは積分器を用いて加算することができる。
本発明の好適な実施形態の１つとして、画質が決定される受信部を備えたダイバーシチ受信装置では、たとえば最も少ない合計振幅を有する受信部を瞬間的に最良の画像を提供する受信部として選択することができる。
ダイバーシチ受信装置において、雑音パルス数が最も少ない受信部におけるパルス幅が他の受信部のそれより大きい場合、雑音パルス数が最も少ない受信部が他の受信部よりも質の劣る画像を提供することがある。
雑音パルス数、振幅および幅のほかに、１本の走査線内の雑音パルスのポジションも画質を決定する基準になる。走査線の開始および終了時の雑音パルスは、走査線の中間領域の雑音パルスよりも画質に及ぼす影響が小さくなる。このような不均等な作用を考慮するために、本発明の好適な実施形態の１つでは、１本の走査線内の雑音パルスのポジションを検出し、ある係数で重みづけることが考慮される。１本の走査線は、たとえば複数の部分領域に分割することができ、この走査線の各部分領域に１つの係数が割当てられる。ある部分領域で検出された雑音パルス数は、その部分領域に割当てられた係数で重みづけられる。このような方法により各部分領域毎に重みづけられ得られた基準値が、画質を特徴づける合計基準値に加算される。
雑音パルスが他の領域よりも画質または画像内容に強い影響を及ぼす部分領域では、この雑音パルスをより強く重みづけることが望ましい。この他の実施例の場合と同様に、画質が低下するにつれて合計基準値が増加し、合計基準値の低下は画質の向上を表す。
ダイバーシチ受信装置では、上述の実施例の場合と同様に最良の画質を発生する受信部を選択することができる。
特に好ましいのは、最後に述べた実施形態にそれ以前に述べた実施形態を組合せることである。
本発明の好適な実施形態の１つでは、１本の走査線に発生する雑音パルスがカウンタを用いて計数される。雑音パルス数が第１の基準値になる。第２の基準値は合計振幅に加算される振幅の合計である。同様に１本の走査線内に発生する雑音パルスのパルス幅を加算することにより、第３の基準値となる合計パルス幅が得られる。最終的に１本の走査線内に発生する雑音パルスのポジションが検出される。
第１、第２および第３の基準値ならびに雑音パルスのポジションは、たとえばプロセッサで評価され、これらの基準値および個々の雑音パルスのポジションが係数で重みづけられる。この係数は、たとえば画質および画像内容に及ぼす影響が少ないパラメータが画質および画像内容に大きい影響を及ぼすパラメータよりも小さく重みづけられるように選択される。２、３のパラメータのみを重みづけることもできる。さらにまた、たとえば各雑音パルスでそのポジション、振幅およびパルス幅を重みづけることもできる。このような方法で重みづけられた基準値は、画質の明確な基準となる第１の合計基準値に加算される。
より完全にするには、振幅とパルス幅はこれらを加算する前および／または加算する後に重み付けをするとよいだろう。雑音パルスの個々の基準値およびポジションの評価および重みづけは、たとえばプロセッサで行うことができる。１本またはそれ以上の走査線における合計基準値は、メモリに記憶させることができる。
上述の実施例では、雑音パルスがデジタルカウンタを利用して計数される。重みづけられた又は重みづけられてない振幅ならびに重みづけられた又は重みづけられてないパルス幅の加算は、たとえばカウンタを利用してデジタル技術で行われるのに対し、アナログ技術ではそのために積分器を使用することができる。メモリとしては、アナログ式のサンプルホールドまたはデジタルメモリを用いることができる。
本発明の好適な実施形態の１つでは、たとえば振幅および／またはパルス幅が所定のしきい値を超えるような雑音パルスのみを評価することができる。
個々の基準値は、各走査線のために第１合計基準値にまとめることができる。さらにまた、個々の第１合計基準値を加算することにより  −  各走査線に第１合計基準値が割当てられる  −  フィールドまたはフレームのための第２合計基準値を形成することができる。この方法で個々の走査線の第１合計基準値は、たとえば画質に大きい影響を及ぼす走査線が、画質に及ぼす影響が極く小さい走査線より強く重みづけされるように重みづけすることも好適な実施形態である。
本発明は、以下に図面に示した本発明の方法を実施するための回路構成の実施例を利用してより詳しく説明する。
各図面は次のとおりである。
図１  回路構成の第１実施例。
図２  回路構成の第２実施例。
図３  回路構成の第３実施例。
図４  回路構成の第４実施例。
図５  回路構成の第５実施例。
図６  パルスダイヤグラム
図１ではテレビジョン受信部ＴＶＥ  −  英語ではＴＶチューナと呼ぶ  −  がアンテナＡを利用してテレビジョン信号を受信し、この信号を前記テレビジョン受信部が、いわゆるカラー映像走査同期信号、略してＦＢＡＳ信号と称する信号に変換する。このＦＢＡＳ信号は、しばしば英語の名称で複合ビデオ・バースト同期（Composit Video and Burst Synchronization）とも呼ばれるＣＶＢＳ信号として表されるが、アナログ−デジタル変換器ＡＤの入力に供給され、前記変換器の出力信号  −  デジタル化されたＦＢＡＳ信号  −  が同期パルス分離器ＳＩＳの入力と、比較器ＶＬの第１入力とに供給され、前記比較器の第２入力に基準量ＲＧが与えられる。比較器ＶＬの出力はカウンタＺ１のクロック入力に接続され、前記カウンタのリセット入力ＲがメモリＳＰのクロック入力Ｔおよび制御スイッチＵに接続され、前記スイッチの出力がメモリＳＰの入力と、に接続される。同期パルス分離器ＳＩＳの走査線同期出力はフェーズロックループＰＬＬの入力に接続され、前記フェーズロックループの出力が制御スイッチＵの第１入力に接続される。同期パルス分離器ＳＩＳの映像同期出力は制御スイッチＵの第２入力に接続される。
アナログ−デジタル変換器ＡＤは、テレビジョン受信部ＴＶＥにより受信されたアナログＦＢＡＳ信号をデジタルＦＢＡＳ信号に変換する。比較器ＶＬは、ＦＢＡＳ信号に発生するパルスが所定の基準量ＲＧを超えるかをチェックする。越えている場合には、第１カウンタＺ１が計数パルスを受け取る。この方法で、１本の走査線に発生するところの、振幅および／またはパルス幅が基準量ＲＧを超える雑音パルスが計数される。図１に示した制御スイッチＵのポジションＺでは、第１カウンタＺ１がフェーズロックループＰＬＬの各水平同期パルスでリセットされるのに対し、メモリＳＰが第１カウンタＺ１の状態を受け取るために駆動される。これによりメモリＳＰに走査線の基準値を記憶させることができる。
制御スイッチが別のポジションＢに切換えられる場合、第１カウンタＺ１が各垂直同期パルスでリセットされ、メモリＳＰが第１カウンタＺ１の状態を受け取るためにタイミングを与えられる。この場合には、メモリＳＰにフィールドまたはフレームのための合計基準値が記憶される。
図６にパルス図ダイヤグラムを示す。
このＦＢＡＳ信号は、走査線の２つの水平同期パルスＨの間に、たとえば３つの狭い雑音パルスＳ１、Ｓ２およびＳ３と、水平同期パルスのエコーである広い雑音パルスＥとを含んでいる。
比較器ＶＬの出力信号は、両方の水平同期パルスＨ、雑音パルスＳ１、Ｓ２およびＥのみを含んでいる。これは雑音パルスＳ３の振幅が基準量ＲＧを越えていないので消されるからである。
このため第１カウンタＺ１は、雑音パルスＳ１、Ｓ２およびＥの立ち下がりエッジのみを計数する。同期パルス分離器は両方の水平同期パルスＨのほかに、妨害エコーパルスＥも生成するが、これはフェーズロックループＰＬＬによってフィルタ処理されてはずされる。なぜなら、フェーズロックループＰＬＬは、規則的に反復するパルスのみを通過というか生成するからである。さらにフェーズロックループは欠けた水平同期パルスを生成するが、ただしそのための前提条件は、捕捉領域が比較的狭く設定されていることである。
図２に表した回路構成の第２実施例では、第１カウンタＺ１の代りにカウンタもしくはメモリとしての第１中間メモリＺ２およびプロセッサＰが考慮されている。アナログ−デジタル変換器ＡＤの出力は、第１中間メモリＺ２の入力に接続され、そのクロック入力は比較器ＶＬの出力に接続され、前記第１中間メモリＺ２の出力はプロセッサＰの入力に接続される。プロセッサＰの出力は、プロセッサＰに組込むこともできる加算器ＳＵの入力に接続される。
第１中間メモリＺ２は雑音パルスＳ１、Ｓ２およびＥの振幅を記憶するとともに、この第１中間メモリＺ２は雑音パルスＳ１、Ｓ２およびＥの振幅を加算するか、またはこれらを個別的にプロセッサＰに転送し、そこで前記雑音パルスの振幅が係数で重みづけされる。メモリＳＰには、制御スイッチＵの各ポジションに応じて、個々の走査線またはフィールドもくしはフレームの雑音パルスの振幅から得られた基準値が記憶される。
図３に示した回路構成の第３実施例は、第１中間メモリＺ２がカウンタもしくはメモリとしての第２カウンタＺ３およびクロック発生器ＣＬに置換されていることで、図２に示した第２実施例と区別される。
アナログ−デジタル変換器ＡＤの出力の代りに、比較器ＶＬの出力がカウンタもしくはメモリとしての第２カウンタＺ３の解除入力に接続され、カウンタもしくは第２カウンタＺ３のクロック入力Ｔがクロック発生器ＣＬに、そして前記クロック発生器の出力がプロセッサＰの入力に接続される。
中間メモリＺ３は、前記第２カウンタＺ３が雑音パルスＳ１、Ｓ２およびＥのパルス幅を記憶するとともに、前記第２カウンタＺ３は雑音パルスＳ１、Ｓ２およびＥのパルス幅を合計パルス幅に加算もしくは積分するか、または個別的にプロセッサＰに転送して、このプロセッサＰにおいてパルス幅が係数で重みづけられる。メモリＳＰには、制御スイッチＵの各ポジションに応じて、個々の走査線またはフィールドもしくはフレームにおける雑音パルスのパルス幅から得られた基準値が記憶される。
図４に示した回路構成の第４実施例では、アンテナＡ、テレビジョン受信部ＴＶＥ、アナログ−デジタル変換器ＡＤ、比較器ＶＬ、同期パルス分離器ＳＩＳ、フェーズロックループＰＬＬ、制御スイッチＵ、メモリＳＰ、加算器ＳＵおよびプロセッサＰに係る構成が、図２および３の回路構成に一致する。ただしプロセッサＰの入力は、カウンタもしくはメモリとしての第２中間メモリＺ４の出力に接続され、前記第２中間メモリＺ４の入力が第３カウンタＺ５の出力と、前記第３カウンタＺ５のクロック入力Ｔが比較器ＶＬの出力とに接続される。第３カウンタＺ５の入力は、クロック発生器ＣＬの出力に接続される。第３カウンタＺ５のリセット入力は、制御スイッチＵの第１入力と同様に、フェーズロックループＰＬＬの出力に接続される。
比較器ＶＬの出力に与えられた各パルスにより第２中間メモリＺ４はクロック発生器ＣＬで計時された第３カウンタＺ５の計数状態を引受けるが、この計数状態は個々の雑音パルスＳ１、Ｓ２およびＥの各ポジションに相当する。雑音パルスのポジションを表すこの計数状態は、プロセッサＰにおいて係数で重みづけられる。加算器ＳＵでは、この方法で生成され重みづけられた基準値が加算され  −  制御スイッチＵの各ポジションに応じて  −  走査線、フィールドまたはフレームのために記憶される。
図５に表した回路構成の第５実施例は、図１ないし４に示した最初の４つの実施例を組合せたものである。
第１カウンタＺ１の出力およびカウンタもしくはメモリである第１中間メモリＺ２、第２カウンタＺ３および第２中間メモリＺ４の出力は、プロセッサＰの入力に接続される。
プロセッサＰは第２中間メモリＺ４から供給されたポジションもしくは基準値を係数で重みづけし、これを第１カウンタＺ１や第１中間メモリＺ２や第２カウンタＺ３から供給された基準値を加算するために加算器ＳＵに送り、そこで前記基準値が加算される。さらにまたプロセッサＰでは、パルス幅および／または振幅に相当する第１中間カウンタＺ２および第２カウンタＺ３の個々の基準値が、加算する前に係数で重みづけすることも可能である。個々の振幅およびパルス幅を重みづけするほかに、プロセッサＰにおいて重みづけされていない振幅および／またはパルス幅の合計が係数で重みづけすることができる。しかしまた、すでに重みづけされた振幅および／またはパルス幅の合計も再度係数で重みづけすることができる。考えうるすべての重みづけを組合せることができる。
第１中間メモリＺ２および第２カウンタＺ３は、デジタルカウンタとして又は、アナログ−デジタル変換器ＡＤが具備されていない場合、積分器として構成することができる。加算器ＳＵおよびメモリＳＰはプロセッサＰに組込むことができる。
通常のテレビジョン放送のために、映像の中心領域に発生する雑音パルスとそのパラメータを、周辺領域にある雑音パルスよりも強く重みづけすることが好ましい。
これに対し、たとえば字幕スーパー付き映画のような字幕スーパー付きのテレビジョン放送を視聴する場合および音声なしのビデオテキスト付き番組の場合、字幕スーパーの領域にある雑音パルスとそのパラメータをより強く重みづけすることが好ましい。
本発明は、画質の明確な判定基準を提供するので、複数のテレビジョン受信部を備えたダイバーシチ受信装置に特に良く適している。ダイバーシチ受信装置に組込まれた個々のテレビジョン受信部の画質を評価するため本発明に基づき生成された基準値および合計基準値を利用して、簡単な方法で最良の画質をもつテレビジョン受信部を決定し、受信するために選択することができる。
その都度最良の映像をもつテレビジョン受信部への切換は、それぞれ走査線、フィールドおよびフレームごとに行うことができる。最も少ない合計基準値をもつテレビジョン受信部が最良の映像を作りだし、他方、合計基準値が最も大きいテレビジョン受信部は最も品質の劣る映像を与えることになる。
本発明は、冒頭に述べたように、移動体においては、移動している各地域の性状に応じて受信状態が大幅に変動することがあるので、たとえば乗用車、観光バスまたは鉄道車両などの移動ダイバーシチ受信装置に特に適している。
【図１】
0003811818.tif 000002
【図２】
0003811818.tif 000003
【図３】
0003811818.tif 000004
【図４】
0003811818.tif 000005
【図５】
0003811818.tif 000006
【図６】
0003811818.tif 000007